(57)【要約】【課題】ビス止めや釘打ち作業を最小限にして、簡易に取付作業を行うことのできるサッシ取付構造を提供する。【解決手段】建物開口部Ａの躯体３に上下枠及び縦枠を枠組みしてなる枠体１を取付けてなるサッシ取付構造において、枠体１は屋外側に躯体３の屋外側面の四周に当接する屋外当接部５０を形成されると共に、上下枠及び縦枠の屋内側面に取付ける固定部１１と該固定部に回転自在に取付けられる屋内当接部１２からなる取付金具１０を備え、該取付金具１０の屋内当接部１２を躯体３の屋内側面に当接固定して、屋外当接部５０と屋内当接部１２により躯体３を挟持してなる。【選択図】  図１
2004150194.tif 000002
【特許請求の範囲】
【請求項１】
建物開口部の躯体に上下枠及び縦枠を枠組みしてなる枠体を取付けてなるサッシ取付構造において、
上記枠体は屋外側に上記躯体の屋外側面の四周に当接する屋外当接部を形成されると共に、上記上下枠及び縦枠の屋内側面に取付ける固定部と該固定部に回転自在に取付けられる屋内当接部からなる取付金具を備え、該取付金具の屋内当接部を上記躯体の屋内側面に当接固定して、上記屋外当接部と屋内当接部により上記躯体を挟持してなることを特徴とするサッシ取付構造。
【請求項２】
上記取付金具の固定部及び屋内当接部は互いに連通する貫通孔を有し、該貫通孔に連結ボルトを固定して上記屋内当接部を固定部に対して回転自在としたことを特徴とする請求項１記載のサッシ取付構造。
【請求項３】
上記枠体は屋内側面に上記取付金具の固定部を当接固定される凹溝を有し、該凹溝は上記取付金具の固定部を当接される底面を屋外側に向かって湾曲するように形成していることを特徴とする請求項１または２記載のサッシ取付構造。
【請求項４】
上記枠体の屋外当接部は内部を中空構造に形成されていることを特徴とする請求項１〜３記載のサッシ取付構造。
【請求項５】
上記枠体の屋外当接部の躯体側の面に水密材を設け、該水密材は上記躯体の屋外側面に圧接させることを特徴とする請求項１〜４記載のサッシ取付構造。
【発明の詳細な説明】
【０００１】
【発明の属する技術分野】
本発明は、建物開口部の躯体に枠体を取付けてなるサッシ取付構造であって、特に枠体に形成された屋外及び屋内の当接部により躯体を挟持するサッシ取付構造に関する。
【０００２】
【従来の技術】
建物開口部に設けられるサッシは、建物の躯体に固定される枠体と、その枠体の中に納められる障子とからなっている。枠体は、上枠と下枠及び左右の縦枠からなり、これらを枠組みして形成される。
従来、サッシを開口部に取付ける際には、枠体の屋外側に設けられるフィンを建物の躯体に当接させ、屋外側から躯体に対して釘打ちをし、また屋内側にもフィンを設けて躯体に当接させ、躯体に対してビス止めすると共に、枠体の屋内外中間位置においても躯体に対してビス止めし、固定していた。これらの固定は、枠体を構成する上下枠及び縦枠のそれぞれについて、長手方向に複数個所なされている。
【０００３】
一方、例えば特開２００１−１８２４３６のように、ビス止めや釘打ちによらず、建物の躯体を挟持してサッシを固定する構造がある。この場合には、枠体の屋外側に面付け部を設けると共に、屋内側に引寄せ手段を設けて、これらによって建物の躯体を挟持し、枠体を固定する。
【０００４】
【発明が解決しようとする課題】
しかし、従来のサッシ取付構造においては、以下のような問題点を有していた。
サッシの取付けのために、釘打ちやビス止めを行う場合には、枠体の四周に渡って複数個所行わなければならず、このため工数が多くなって取付作業は繁雑になる。
【０００５】
また、従来の建物の躯体を挟持してサッシを固定する場合には、釘打ちやビス止めの作業はほとんど必要ないものの、躯体を挟持する部分をいずれもサッシに固定した状態では、サッシを建物開口部に取付けることはできず、どちらか一方は取付作業の途中で組立てる必要がある。例えば、サッシを建物開口部の屋外側から取付ける場合には、屋内側の引寄せ手段が枠体から突出するために、屋内側の引寄せ手段を枠体に固定したまま取付作業を行うことはできない。したがって、この場合においても取付作業は煩雑になり、取付を簡易に行うことはできなかった。
【０００６】
本発明は、上記問題点を解決すべくなされたものであり、ビス止めや釘打ち作業を最小限にして、簡易に取付作業を行うことのできるサッシ取付構造を提供することを目的とする。
【０００７】
【課題を解決するための手段】
上記課題を解決するために、本発明に係るサッシ取付構造は、建物開口部の躯体に上下枠及び縦枠を枠組みしてなる枠体を取付けてなるサッシ取付構造において、
上記枠体は屋外側に上記躯体の屋外側面の四周に当接する屋外当接部を形成されると共に、上記上下枠及び縦枠の屋内側面に取付ける固定部と該固定部に回転自在に取付けられる屋内当接部からなる取付金具を備え、該取付金具の屋内当接部を上記躯体の屋内側面に当接固定して、上記屋外当接部と屋内当接部により上記躯体を挟持してなることを特徴として構成されている。
【０００８】
また、本発明に係るサッシ取付構造は、上記取付金具の固定部及び屋内当接部は互いに連通する貫通孔を有し、該貫通孔に連結ボルトを固定して上記屋内当接部を固定部に対して回転自在としたことを特徴として構成されている。
【０００９】
さらに、本発明に係るサッシ取付構造は、上記枠体は屋内側面に上記取付金具の固定部を当接固定される凹溝を有し、該凹溝は上記取付金具の固定部を当接される底面を屋外側に向かって湾曲するように形成していることを特徴として構成されている。
【００１０】
さらにまた、本発明に係るサッシ取付構造は、上記枠体の屋外当接部は内部を中空構造に形成されていることを特徴として構成されている。
【００１１】
そして、本発明に係るサッシ取付構造は、上記枠体の屋外当接部の躯体側の面に水密材を設け、該水密材は上記躯体の屋外側面に圧接させることを特徴として構成されている。
【００１２】
【発明の実施の形態】
本発明の実施形態について、図に基づいて詳細に説明する。図１は、本発明の実施形態におけるサッシの縦断面図である。また、図２は、本発明の実施形態におけるサッシの横断面図である。
【００１３】
これら各図において、本発明におけるサッシは、建物開口部Ａに装着された上枠２０、下枠３０、及び縦枠４０、４０からなる枠体１内に、上框２５、下框３５、及び縦框４５、４５を枠組みしてガラス体６２を納めた一対の障子２、２を引違い状に走行自在に納めてなるものである。
【００１４】
枠体１を構成する各枠材は、複合型の枠材であり、ベースとなる金属枠６とその屋内側露出部分を覆う樹脂枠７とから構成されている。金属枠６は、金属上枠２１、金属下枠３１、金属縦枠４１、４１を方形に枠組みして構成され、樹脂枠７は、樹脂上枠２２、樹脂下枠３２、樹脂縦枠４２、４２を方形に枠組みして構成されている。そして、上記樹脂上枠２２は金属上枠２１に、樹脂下枠３２は金属下枠３１に、樹脂縦枠４２は金属縦枠４１に、それぞれ取付けられている。金属上枠２１と金属下枠３１及び金属縦枠４１、４１には、それぞれ係止片が設けられ、樹脂上枠２２と樹脂下枠３２及び樹脂縦枠４２、４２はそれらに係合された上で、ネジによって固定される。
【００１５】
一方、障子２は、枠体１の屋外側に配される外障子６０と屋内側に配される内障子６１とからなり、上下及び左右の框材を方形状に枠組みして、ガラス体６２を納めている。ガラス体６２はグレージングチャンネル６３を介して各框に保持されている。また、外障子６０の屋外側には網戸６６が取付けられている。各障子は、上記枠体１と同様に、金属框８とその屋内側露出部分を覆うように取付けられた樹脂框９とから構成されている。すなわち、上記樹脂上框２７は金属上框２６に、樹脂下框３７は金属下框３６に、樹脂縦框４７、４７は金属縦框４６、４６に、それぞれ取り付けられている。金属上框２６、金属下框３６、及び金属縦框４６、４６には、それぞれ係止片が設けられ、樹脂上框２７，樹脂下框３７及び樹脂縦框４７、４７はそれらに係合された上で、カシメによって固定される。
【００１６】
なお、上記金属枠６及び金属框８は通常アルミの押出し型材にて成型され、また樹脂枠７及び樹脂框９は塩化ビニルやアクリル樹脂等から成型される。このように樹脂枠７にて金属枠６の屋内側露出部分を覆うと共に、樹脂框９にて金属框８の屋内側露出部分を覆うことにより、金属による冷たい感じを隠し、また熱伝導率の低い樹脂によって断熱効果を向上させている。また、これらの樹脂材には、木材粉等を混入させて、外観上あたかも木材で形成されているかの観を呈することもできる。
【００１７】
また、金属下枠３１にはレール６５、６５が形成され、外障子６０及び内障子６１の下端部に設けられた戸車６４、６４がその上に載置されて、外障子６０及び内障子６１はいずれも横方向に走行自在とされる。
【００１８】
次に、本実施形態におけるサッシの取付構造について説明する。図１及び図２に示すように、本実施形態におけるサッシは、枠体１の屋外側に四周に渡って形成された屋外当接部５０と、枠体１の屋内側に取付けられた取付金具１０の屋内当接部１２によって建物の躯体３を挟持することで、建物開口部Ａに固定される取付構造を有している。
【００１９】
屋外当接部５０は、図１及び図２に示すように、上枠２０、下枠３０、縦枠４０、４０のそれぞれ屋外側に四周に渡って設けられ、障子２、２を保持する部分に対し、枠体１の外側に向かう略垂直方向に伸びて形成されている。このため、上枠２０、下枠３０、縦枠４０、４０はいずれも、その断面形状は略Ｌ字状となる。また、屋外当接部５０は、その断面形状において中空構造に形成される。したがって、屋外当接部５０は、屋内外方向について厚みを持つことになり、建物の躯体３を挟持する際における剛性を確保することができ、変形を防止することができる。
【００２０】
また、屋外当接部５０の周囲には、外壁４が設けられて屋外当接部５０の外周面に当接している。外壁４は、建物の躯体３を屋外側から見えないように被覆しており、サッシの取付後に設けられる。
【００２１】
さらに、屋外当接部５０の屋内側面には長手方向略全長に渡って水密材５０ａが設けられると共に、コーキング材５０ｃが充填される。水密材５０ａは、屋外当接部５０の屋内側面のサッシ中央側に四周に渡って設けられる。水密材５０ａの外側にはバックアップ材５０ｂが設けられて、さらにその外側にはコーキング材５０ｃが四周に渡って充填される。水密材５０ａは、屋外当接部５０と屋内当接部１２によって建物の躯体３を挟持したときに、建物の躯体３に圧接されて、外部からの水の浸入を防ぐ。また、その外側にコーキング材５０ｃを充填することにより、二重に防水を行うことができる。
【００２２】
一方、建物の躯体３の屋内側を挟持する屋内当接部１２は、枠体１に対して取付けられる取付金具１０に設けられている。取付金具１０は、ピース状の部材からなり、上枠２０、下枠３０、縦枠４０、４０のそれぞれ長手方向に数カ所ずつ設けられる。また、取付金具１０は、枠体１の屋内側面に設けられる凹溝５１に固定される固定部１１と、この固定部１１に対して回転自在に取付けられる屋内当接部１２からなっている。図３及び図４にはそれぞれ上枠２０及び縦枠４０における取付金具１０の周辺拡大図を示している。また、図５〜７には取付金具１０の拡大図を示している。
【００２３】
取付金具１０の固定部１１は、図５〜図７に示すように断面形状を屋外側に開いた略コ字形に形成すると共に、両端部には外側に向かって略垂直方向に当接面１１ａを有している。当接面１１ａは、ネジ孔１１ｃを有しており、枠体１の凹溝５１の底面５１ｂに当接すると共に、ネジによって固定される。
【００２４】
枠体１の凹溝５１の底面５１ｂは、図５に示すように屋外側に向かって湾曲した形状に形成されており、取付金具１０の当接面１１ａと凹溝５１の底面５１ｂのネジによる固定により、弾性力による引寄せ手段として作用する。これにより、屋外当接部５０と屋内当接部１２による建物の躯体３の挟持はより強固になされる。
【００２５】
また、取付金具１０の固定部１１には、切欠き部１１ｂが形成されており、この切欠き部１１ｂに凹溝５１の屋内側先端部に形成された係合部５１ａを係合させて、これによって固定部１１は凹溝５１に保持させることができる。すなわち、取付金具１０と枠体１とは係合によって保持されると共に、ネジ止めによって、確実に固定される。
【００２６】
取付金具１０の屋内当接部１２は、図７に示すように断面形状を屋内側に開いた略コ字形に形成されると共に、屋内側先端部の一方には外側に向かって略垂直方向に延出片１２ｃを有している。したがって、屋内当接部１２は、その断面形状において固定部１１に対して対向するような配置とされている。屋内当接部１２はその屋外側面が当接面１２ａとなり、躯体３の屋内側面に当接固定されて、屋外当接部５０と共に躯体３を挟持する。
【００２７】
さらに、屋内当接部１２には、図６に示すようにネジ孔１２ｂが設けられており、このネジ孔１２ｂから取付ネジ１４によって建物の躯体３に固定される。図６においては、ネジ孔１２ｂは１個所設けられているが、数カ所設けてより強固に固定するようにしてもよい。また、ネジ孔１２ｂの位置は、屋内当接部１２における適所に設けることができる。
【００２８】
屋内当接部１２は、固定部１１に対して回転自在に取付けられる。その取付けは、連結ボルト１３によってなされ、ナット１３ａによって固定される。サッシの取付前においては、ナット１３ａは仮止めの状態にされており、屋内当接部１２は固定部１１に対して自由に回転することができる。また、ナット１３ａと固定部１１の間と、固定部１１と屋内当接部１２の間及び、屋内当接部１２と連結ボルト１３の間にはそれぞれテフロン（登録商標）からなるワッシャー１３ｂが設けられており、連結ボルト１３及びナット１３ａを強固に締付けることができる。
【００２９】
図８は、サッシを建物開口部Ａに取付ける際の組立図を示している。この図は、枠体１の上枠２０の部分のみを示している。図８（ａ）は、サッシの建物開口部Ａに対する取付前の状態を表しており、図８（ｂ）は、サッシを所定の位置に取り付けた状態を表している。また、図８（ｃ）は、取付金具１０を建物の躯体３に固定して、屋内当接部１２と屋外当接部５０によって挟持した状態を表している。
【００３０】
図８（ａ）のように、取付金具１０をあらかじめ固定された枠体１は、屋外側から建物開口部Ａに取付けられる。この際に、屋内当接部１２はその先端がサッシ中央方向を向くように配置されており、屋内当接部１２が枠体１から外側に向かって突出しないようにされている。
【００３１】
図８（ｂ）及び図８（ｃ）のように、枠体１を所定の位置に納めて屋外当接部５０を建物の躯体３に当接させたのち、屋内当接部１２は連結ボルト１３を中心に１８０度回転させて、建物の躯体３の屋内側面に当接するように配置される。屋内当接部１２を建物の躯体３に当接させたら、連結ボルトを締めて屋内当接部１２を固定部１１に固定すると共に、ネジ孔１２ｂからネジ１４によって建物の躯体３に固定する。このようにして建物の躯体３を屋内当接部１２と屋外当接部５０によって挟持し、サッシを固定する。
【００３２】
取付金具１０により枠体１を建物開口部Ａに取付けた状態では、取付金具１０は屋内側に露出している。そこで、その屋内側を被覆するために屋内材が設けられる。屋内材は、上屋内材２３、下屋内材３３、縦屋内材４３、４３からなり、その屋外側面はそれぞれ上枠２０、下枠３０、縦枠４０、４０の屋内側面に当接されると共に、サッシの外側に面する側面は、取付片１５によって取付金具１０に固定される。
【００３３】
取付片１５は、断面略Ｌ字状に形成されてなり、一方の面は取付金具１０の延出片１２ｃに設けられるネジ孔１２ｄにネジによって固定される。また、もう一方の面は、屋内材の側面に当接して、ネジ１６、１６により固定される。さらに、屋内当接部１２及び建物の躯体３の屋内側露出部分は、内壁５を設けることによって被覆される。なお、取付けの際には、屋内材と取付片１５はネジ１６、１６によって固定された状態で取付金具１０に固定される。
【００３４】
これまで、本発明に係る実施形態について説明したが、本発明の適用はこの実施形態に限られるものではなく、その思想の範囲内において様々に適用することができる。
例えば、本実施形態においては、障子２は引違い状の可動障子としている。しかし、障子２の態様は特に限定されるものではなく、片方ないし両方を嵌殺しとしてもよいし、辷り出し戸や内倒し戸など他の態様でもよい。
【００３５】
また、本実施形態においては、金属枠６の屋内側露出部分や金属框８の屋内側露出部分を樹脂枠７や樹脂框９にて覆っているが、このような複合サッシではなく、全て金属からなるサッシに本発明を適用することもできる。
さらに、本実施形態においては取付金具１０の固定部１１と屋内当接部１２を回転自在に連結するために連結ボルト１３及びナット１３ａを用いているが、固定部１１と屋内当接部１２を回転自在に連結できるものであれば、これに限るものではなく、回転軸となるものとそれを回転もしくは固定することのできるものを備えていればよい。
【００３６】
【発明の効果】
以上のように、本発明に係るサッシ取付構造は、枠体の屋外側に躯体の屋外側面の四周に当接する屋外当接部を形成し、枠体の屋内側に固定部と該固定部に回転自在に取付けられる屋内当接部からなる取付金具を備え、該取付金具の屋内当接部を躯体の屋内側面に当接固定して、屋外当接部と屋内当接部により躯体を挟持してなることにより、サッシはビス止めや釘打ちを多数行うことなく建物開口部に固定することができ、また屋内当接部は回転自在に設けられているから、取付をワンタッチで簡易に行うことができるという効果がある。
【００３７】
また、本発明によれば、枠体は屋内側面に固定部を当接固定される凹溝を有し、該凹溝は固定部を当接される底面を屋外側に向かって湾曲するように形成していることにより、湾曲した底面の弾性力により、躯体の挟持を強固にすることができるという効果がある。
【００３８】
さらに、本発明によれば、枠体の屋外当接部は内部を中空構造に形成されていることにより、屋外当接部の剛性を高くすることができ、躯体に取付けた際における枠体の変形を防止することができる。
【００３９】
さらにまた、本発明によれば、枠体の屋外当接部の躯体側の面に水密材を設け、該水密材は躯体の屋外側面に圧接させることにより、屋外当接部と屋内当接部によって躯体を挟持することで、サッシの防水性を確保することができるという効果がある。
【図面の簡単な説明】
【図１】本発明の実施形態におけるサッシの縦断面図である。
【図２】本発明の実施形態におけるサッシの横断面図である。
【図３】本発明の実施形態における上枠に設けられる取付金具付近の拡大図である。
【図４】本発明の実施形態における縦枠に設けられる取付金具付近の拡大図である。
【図５】本発明の実施形態における取付金具の左側面図である。
【図６】本発明の実施形態における取付金具の正面図である。
【図７】本発明の実施形態における取付金具の平面図である。
【図８】本発明の実施形態において、サッシのうち上枠部分を建物開口部に取付ける組立図である。
【図９】上枠に設けられる水密材付近の拡大図である。
【符号の説明】
１      枠体
２      障子
３      躯体
４      外壁
５      内壁
６      金属枠
７      樹脂枠
８      金属框
９      樹脂框
１０      取付金具
１１      固定部
１２      屋内当接部
１３      連結ボルト
１３ａ    ナット
２０      上枠
３０      下枠
４０      縦枠
５０      屋外当接部
５０ａ    水密材
５１      凹溝
Ａ      建物開口部
【図１】
2004150194.tif 000003
【図２】
2004150194.tif 000004
【図３】
2004150194.tif 000005
【図４】
2004150194.tif 000006
【図５】
2004150194.tif 000007
【図６】
2004150194.tif 000008
【図７】
2004150194.tif 000009
【図８】
2004150194.tif 000010
【図９】
2004150194.tif 000011